(57)【要約】【課題】日常生活の中の通常の動作の中で容易に発電を行える発電装置を提供する。【解決手段】発電装置１００は、発電部１０と、発電固定部２０と、紐部材固定部３０とを備える。発電部１０は、自動内部巻き取り式の紐部材１１を引くと発電する機構を有するものである。発電固定部２０は、歩行時の腰などに発電部１０を固定するものである。紐部材固定部３０は、歩行時の足首などに紐部材１１を固定するものである。発電装置１００を装着した一方の足２１０を前に出すと、発電部１０の紐部材１１が引っ張られて発電部１０が発電を行う。次に、他方の足２２０を前に出すと、一方の足２１０が曲がり、紐部材１１が弛んで発電部１０内部の紐巻取り機構に巻き取られる。この紐部材１１の引っ張り動作と巻取り動作が交互に繰り返し行われ、引っ張り動作の際に発電部１０において発電が行われる。【選択図】      図１
2015204694.tif 000002
【特許請求の範囲】
【請求項１】
紐部材を引くことにより発電する機構を有する発電手段と、
動作体、又は非動作体のいずれか一方に前記発電手段を固定する発電固定手段と、
前記動作体、又は前記非動作体のいずれか一方に前記紐部材を固定する紐部材固定手段と
を備え、
少なくとも前記発電固定手段、及び前記紐部材固定手段のいずれか一方は前記動作体に固定し、
前記動作体の動作により前記紐部材は引かれて前記発電手段に発電させる位置に前記発電固定手段、及び前記紐部材固定手段を固定したことを特徴とする発電装置。
【請求項２】
前記発電固定手段は、前記非動作体に固定され、
前記紐部材固定手段は、反復動作を行う前記動作体に固定され、
前記動作体の反復動作により前記紐部材は繰り返し引かれて前記発電手段に発電させる位置に前記発電固定手段、及び前記紐部材固定手段を固定したことを特徴とする請求項１に記載の発電装置。
【請求項３】
前記発電固定手段は、反復動作を行う前記動作体に固定され、
前記紐部材固定手段は、前記非動作体に固定され、
前記動作体の反復動作により前記紐部材は繰り返し引かれて前記発電手段に発電させる位置に前記発電固定手段、及び前記紐部材固定手段を固定したことを特徴とする請求項１に記載の発電装置。
【請求項４】
前記動作体は、歩行時における足又は手又は腕であり、
前記非動作体は、歩行時における人体における足又は手又は腕以外のいずれかの部分であり、
歩行時における足又は手又は腕の動作により前記紐部材は引かれて前記発電手段に発電させることを特徴とする請求項２及び請求項３のいずれか一つに記載の発電装置。
【請求項５】
前記発電固定手段は、
前記発電手段の全部又は一部を覆うケース部と、
前記動作体、又は前記非動作体のいずれか一方に前記ケース部を固定するケース固定部と
を具備することを特徴とする請求項１乃至請求項４のいずれか一つに記載の発電装置。
【請求項６】
前記ケース固定部の所定の点を支点として前記ケース部を回動させる回動部を具備することを特徴とする請求項５に記載の発電装置。
【請求項７】
前記回動部の回動を制限する回動制限部を具備することを特徴とする請求項６に記載の発電装置。
【請求項８】
前記発電固定手段は、前記発電手段に設けられたことを特徴とする請求項１乃至請求項７のいずれか一つに記載の発電装置。
【請求項９】
紐部材を引くことにより発電する機構を有する発電装置を動作体、又は非動作体のいずれか一方に固定する発電固定手段と、
前記動作体、又は前記非動作体のいずれか一方に前記紐部材を固定する紐部材固定手段と
を備え
少なくとも前記発電固定手段、及び前記紐部材固定手段のいずれか一方は前記動作体に固定し、
前記動作体の動作により前記紐部材は引かれて前記発電手段に発電させる位置に前記発電固定手段、及び前記紐部材固定手段を固定したことを特徴とする発電補助具。
【請求項１０】
前記発電固定手段は、前記発電装置に設けられたことを特徴とする請求項９に記載の発電補助具。
【発明の詳細な説明】
【技術分野】
【０００１】
本発明は、発電装置、及び発電補助具に関し、特に、日常生活の中での反復動作を利用して容易に発電させる発電装置、及び発電補助具に関する。
【背景技術】
【０００２】
近年、世界各地で地震や雪の影響で停電が生じる機会が多々起こっている。そのような状況下、様々な発電機が提案されている。そのうちの１つに、周囲に糸を巻きつけたドラムであって、その内部にうずまきバネを配置したドラムに巻きつけた糸を、繰り返し引張る動作によりドラムを回転させ、該ドラムに連結した一定方向への回転を許容するドーボ機構を有したドーボギアを介し、ドーボギアと歯合した発電機ローターを一方向回転させ発電する機能を備えた超小型携帯用手動発電機が提案されている（例えば、特許文献１参照。）。また、手動式回転自在のハンドルの回転動作により電圧を発生する発電機を内蔵した携帯型充電装置が提案されている（例えば、特許文献２参照。）。これらは、いずれも手で糸を引っ張ったり、ハンドルを回したりなど手動で発電させることを想定したものである。
【先行技術文献】
【特許文献】
【０００３】
【特許文献１】特開２００１−１３６７０７号公報
【特許文献２】特開平１０−２１０６７３号公報
【発明の概要】
【発明が解決しようとする課題】
【０００４】
上述の超小型携帯用手動発電機及び携帯型充電装置では、手動でわざわざ糸を引っ張ったり、ハンドルを回したりして発電させるため、腕が直ぐに疲れてしまう。また、上述の超小型携帯用手動発電機及び携帯型充電装置では、発電させるのに両手を使うため、発電させながら他のことができない。
【０００５】
そこで、本発明は、日常生活の中の通常の動作の中で容易に発電を行える発電装置を提供することを目的とする。
【課題を解決するための手段】
【０００６】
本発明は、上記課題を解決するためになされたものであり、本発明の発電装置は、紐部材を引くことにより発電する機構を有する発電手段と、動作体、又は非動作体のいずれか一方に上記発電手段を固定する発電固定手段と、上記動作体、又は上記非動作体のいずれか一方に上記紐部材を固定する紐部材固定手段とを備え、少なくとも上記発電固定手段、及び上記紐部材固定手段のいずれか一方は上記動作体に固定し、上記動作体の動作により上記紐部材は引かれて上記発電手段に発電させる位置に上記発電固定手段、及び上記紐部材固定手段を固定したことを特徴とする。これにより、日常生活の中の通常の動作を利用して容易に発電させるという作用をもたらす。
【０００７】
また、本発明の発電装置において、上記発電固定手段は、上記非動作体に固定され、上記紐部材固定手段は、反復動作を行う上記動作体に固定され、上記動作体の反復動作により上記紐部材は繰り返し引かれて上記発電手段に発電させる位置に上記発電固定手段、及び上記紐部材固定手段を固定したことを特徴とする。これにより、日常生活の中の通常の動作を利用して容易に発電させるという作用をもたらす。
【０００８】
また、本発明の発電装置において、上記発電固定手段は、反復動作を行う上記動作体に固定され、上記紐部材固定手段は、上記非動作体に固定され、上記動作体の反復動作により上記紐部材は繰り返し引かれて上記発電手段に発電させる位置に上記発電固定手段、及び上記紐部材固定手段を固定したことを特徴とする。これにより、日常生活の中の通常の動作を利用して容易に発電させるという作用をもたらす。
【０００９】
また、本発明の発電装置において、上記動作体は、歩行時における足又は手又は腕であり、上記非動作体は、歩行時における人体における足又は手又は腕以外のいずれかの部分であり、歩行時における足又は手又は腕の動作により上記紐部材は引かれて上記発電手段に発電させることを特徴とする。これにより、日常生活の中の通常の動作、特に歩行動作を利用して容易に発電させるという作用をもたらす。
【００１０】
また、本発明の発電装置において、上記発電固定手段は、上記発電手段の全部又は一部を覆うケース部と、上記動作体、又は上記非動作体のいずれか一方に上記ケース部を固定するケース固定部とを具備することを特徴とする。これにより、発電部をケースに収容して固定させるという作用をもたらす。
【００１１】
また、本発明の発電装置において、上記ケース固定部の所定の点を支点として上記ケース部を回動させる回動部を具備することを特徴とする。また、本発明の発電装置において、上記回動部の回動を制限する回動制限部を具備することを特徴とする。これにより、紐部材が引っ張りやすい態様にケース部を回動させるという作用をもたらす。
【００１２】
また、本発明の発電装置において、上記発電固定手段は、上記発電手段に設けられたことを特徴とする。これにより、発電固定手段と発電手段とを一体形成させるという作用をもたらす。
【００１３】
また、本発明の発電補助具は、紐部材を引くことにより発電する機構を有する発電装置を動作体、又は非動作体のいずれか一方に固定する発電固定手段と、上記動作体、又は上記非動作体のいずれか一方に上記紐部材を固定する紐部材固定手段とを備え少なくとも上記発電固定手段、及び上記紐部材固定手段のいずれか一方は上記動作体に固定し、上記動作体の動作により上記紐部材は引かれて上記発電手段に発電させる位置に上記発電固定手段、及び上記紐部材固定手段を固定したことを特徴とする。これにより、日常生活の中の通常の動作を利用して発電させるという作用をもたらす。
【００１４】
また、本発明の発電補助具において、上記発電固定手段は、上記発電装置に設けられたことを特徴とする。これにより、発電装置、及び発電固定手段とを一体形成させるという作用をもたらす。
【発明の効果】
【００１５】
本発明によれば、日常生活の中の通常の動作を利用して容易に発電させることができるという優れた効果を奏し得る。
【図面の簡単な説明】
【００１６】
【図１】本発明の実施の形態における発電装置１００を人２００が装着した様子を示す図である。
【図２】本発明の実施の形態における発電固定部２０の一例を示す図である。
【図３】本発明の実施の形態における紐部材固定部３０の一例を示す図である。
【図４】発電部１０の構成の一例を示す図である。
【図５】本発明の実施の形態における発電装置１００の使用例を示す図である。
【図６】本発明の実施の形態における発電装置１００の別の使用例を示す図である。
【発明を実施するための形態】
【００１７】
次に本発明の実施の形態について図面を参照して詳細に説明する。
【００１８】
図１は、本発明の実施の形態における発電装置１００を人２００が装着した様子を示す図である。本発明の実施の形態における発電装置１００は、発電部１０と、発電固定部２０と、紐部材固定部３０とを備える。発電部１０は、紐部材１１を引くことにより発電する機構を有するものである。
【００１９】
発電部１０は、図１（ｂ）に示すように下部に紐部材１１を備えている。紐部材１１を下方（矢印Ａ方向）へ引っ張ると、発電部１０内部に備えられた（図示しない）紐巻取り機構の復元力が働き、紐部材１１は巻き取られ、元の状態に戻ろうとする。なお、発電部１０に関する上記機構の詳細は、後述することとする。
【００２０】
発電固定部２０は、図１（ａ）に示すように、例えば、非動作体などに発電部１０を固定するものである。非動作体とは、例えば歩行時の人体で言えば足、手、腕以外の部分（例えば、腰回りなど）を指すものである。図１において発電固定部２０は、人２００の腰回りに発電部１０を固定している。
【００２１】
紐部材固定部３０は、図１（ａ）に示すように、例えば、動作体などに紐部材１１を固定するものである。動作体とは、例えば歩行時の人体で言えば足、手、腕の部分を指すものである。図１において紐部材固定部３０は、足首付近に紐部材１１を固定している。
【００２２】
発電装置１００を装着した人２００が歩行すると次のような動作が繰り返し行われる。発電装置１００を装着した一方の足２１０を前に出すと、発電部１０の紐部材１１が引っ張られて発電部１０が発電を行う。次に、他方の足２２０を前に出すと、一方の足２１０が曲がり、紐部材１１が弛んで発電部１０内部の紐巻取り機構に巻き取られる。人２００の歩行動作では、この紐部材１１の引っ張り動作と巻取り動作が交互に繰り返し行われ、引っ張り動作の際に発電部１０において発電が行われる。
【００２３】
なお、発電固定部２０は、動作体に固定してもよい。また、紐部材固定部３０は、非動作体に固定してもよい。ただし、発電固定部２０、及び紐部材固定部３０のうち少なくともいずれか一方は、動作体に固定する必要がある。上記引っ張り動作を行うためである。また、発電固定部２０、及び紐部材固定部３０の固定位置は、発電装置１００を装着した人２００が歩行する際に、上記説明した紐部材１１の引っ張り動作と巻取り動作が交互に行うことができる位置である必要がある。そのようなことを行える位置であれば、上記固定位置はどの位置であってもよい。
【００２４】
その意味で、非動作体とは、全く動かないものを指すのではなく、動作体と非動作体とで上記説明した紐部材１１の引っ張り動作と巻取り動作とを実現できれば、動作があってもよい。したがって、本発明において動作体及び非動作体は、動作体と非動作体とを相対的に見て動作していると見做してもよい方を動作体、相対的に見て動作していないと見做してもよい方を非動作体とする。その定義に沿って様々なものの動作において動作体、非動作体が決定される。
【００２５】
以下において、発電固定部２０は、非動作体に発電部１０を固定し、紐部材固定部３０は、動作体に紐部材１１を固定したものとして説明をするが、上記説明したように、これは一例であって、本発明はこれに限定されるものではない。
【００２６】
図２は、本発明の実施の形態における発電固定部２０の一例を示す図である。図２（ａ）は、発電部１０に発電固定部２０を装着させる様子を示す図である。図２（ｂ）は、発電固定部２０を背面から見た図である。
【００２７】
発電固定部２０は、例えば、図２（ａ）に示すように、ケース部２１と、ケース取り付け部２２と、回動部２３とにより構成させることが一例として想定される。ケース部２１は、例えば、図２（ａ）に示すように、発電部１０を覆って、拘束する態様が一例として想定される。
【００２８】
具体的にケース部２１は、上部が開口している。そのケース部２１の開口は、発電部１０の挿入口となっている。そして、ケース部２１の上部には、開口の一部を開閉するベロ部材２１ａが設けられている。ベロ部材２１ａには、ボタン部材２１ｂが設けられ、ケース部２１には、ボタン受け部材２１ｃが設けられている。ケース部２１上部の開口の一部を閉じるようにベロ部材２１ａを折り返してボタン留めすると、図２（ａ）の左図のように、ケース部２１は発電部１０を拘束して覆い、把持した状態になる。これにより、発電固定部２０から発電部１０を飛び出させない。また、ケース部２１は、図２（ａ）に示すように、下部に紐部材１１を通す穴２１ｄを有する。また、ケース部２１の素材として軟質性の素材、例えば牛革が挙げられるが、これに限るものではなく、その他の材質であってもよい。また、ケース部２１の態様は、上記態様に限るものではなく、発電部１０を拘束できる態様できればどのような態様であってもよく、その他の公知のあらゆる拘束態様をも含む。
【００２９】
ケース取り付け部２２は、非動作体などにケース部２１を取り付けるものである。ケース取り付け部２２の態様として、例えば、図２（ｂ）に示すように、ケース部２１の背面２１ｅに取り付けられたループ部材２２ａが想定されるが、これに限るものではなく、ケース部２１を非動作体などに取り付けることができればどのような態様であってもよく、その他の公知のあらゆる取り付け態様をも含む。ケース取り付け部２２としてのループ部材２２ａの取り付け態様は、例えばループ部材２２ａにベルトを通してケース部２１を腰付近に取り付ける態様が想定される。
【００３０】
回動部２３は、図２（ｂ）に示すように、ケース部２１の背面２１ｂに設けられた支点２３ａを中心として背面２１ｂ面上においてケース部２１を回動させるものである。なお、ケース部２１の回動態様は、例えば図２（ｂ）に示すような態様が想定される。すなわち、図２（ｂ）の右図がケース部２１のデフォルト位置だとした場合、背面２１ｂ面上において支点２３ａを中心としてケース部２１を所定角度回動させると、ケース部２１は図２（ｂ）の左図のような位置状態になる。また、回動部２３のその他の態様として、ケース部２１の別の位置に回動支点を設けてそこで回動させる態様であってもよい。
【００３１】
また、回動部２３の回動態様として、例えばケース部２１の回動を固定せず、自由にケース部２１を回動させる態様であってもよい。また、回動部２３の回動態様として、例えばケース部２１を所望の角度の回動させた後に、ケース部２１を自由に回動させないように固定する回動制限機構を設けた態様であってもよい。回動制限機構の態様は、例えば支点２３ａを通るネジとナットを用いて、ケース部２１とケース取り付け部２２とを強固に挟持させる態様が一例として挙げられる。
【００３２】
図３は、本発明の実施の形態における紐部材固定部３０の一例を示す図である。紐部材固定部３０は、例えば、紐部材連結部３１と、取り付け部３２とを備える。
【００３３】
紐部材連結部３１は、紐部材１１と取り付け部３２とを連結するものである。そして、紐部材１１は、紐部材連結部３１に取り付けられる。図３（ａ）及び図３（ｂ）は、紐部材１１と取り付け部３２とを連結する様子を示す図である。紐部材連結部３１は、例えば、ベロ部材３１ａにより構成させることが想定される。図３（ａ）及び図３（ｂ）においてベロ部材３１ａは、軟質性素材の細長部材３１ｂの両端にボタン部材３１ｃ及びボタン受け部材３１ｄを設けた態様になっている。ボタン部材３１ｃをボタン受け部材３１ｄに留めることにより軟質性素材の細長部材３１ｂは、閉じた環状を形成することになる。
【００３４】
紐部材１１の紐部材連結部３１への取り付け態様は、例えば、図３（ａ）に示すように、リング形状をした紐部材１１の取手１１ａのリング内に細長部材３１ｂを通して、ボタン部材３１ｃをボタン受け部材３１ｄに移動させる。そして、図３（ｂ）に示すように、ボタン部材３１ｃをボタン受け部材３１ｄに留める。以上のようにして、紐部材１１（取手１１ａ）は、紐部材連結部３１に取り付けられる。なお、紐部材連結部３１の態様は、以上の態様に限るものではなく、その他の公知のあらゆる紐部材１１と取り付け部３２との連結態様をも含む。
【００３５】
取り付け部３２は、動作体などに紐部材連結部３１を取り付けるものである。紐部材連結部３１は、取り付け部３２に固定されている。そして、取り付け部３２を動作体などに取り付けることにより、動作体などに紐部材連結部３１を取り付けることになる。
【００３６】
取り付け部３２は、例えば、図３（ｃ）に示すように、軟質性素材の細長部材３２ａの両端部に対になる固着部３２ｂ及び被固着部３２ｃを設けたものが一例として想定される。固着部３２ｂ及び被固着部３２ｃとして、例えばマジックテープ（登録商標）が想定されるが、これに限るものではなく、その他のものであってもよい。例えば、図３（ｃ）に示すように、細長部材３２ａを環状に巻いて固着部３２ｂを被固着部３２ｃに固着させると、図３（ｄ）に示す環状の取り付け部３２になる。
【００３７】
取り付け部３２の取り付け態様は、例えば図１に示すように、細長部材３２ａを足首に巻いて固着部３２ｂを被固着部３２ｃに固着させることにより足首に取り付ける態様が想定される。取り付け部３２がこのような態様であれば、足首、手首など太さ、大きさに応じて細長部材３２ａの巻きつけを調整できるため、様々な場所に容易に取り付けることができる。なお、取り付け部３２の態様は、以上の態様に限るものではなく、その他の公知のあらゆる動作体などへの取り付け態様をも含む。
【００３８】
図４は、発電部１０の構成の一例を示す図である。発電部１０は、発電機１と、ドラム２と、ドラム２に巻きつけられた紐部材１１と、ドラム２内部に取り付けられた渦巻きバネ４と、ドラム２の一方向の回転のみを伝達するギア機構５と、ギア機構５から回転を伝達されて回転するギア６と、ギア６と歯合し、発電機１のロータ回転軸１ａと連結されたギア７と、蓄電部８と、ケーシング９とを備える。
【００３９】
紐部材１１を下方（矢印Ｂ方向）へ引っ張ると、それに応じてドラム２は正回転する。ドラム２が正回転（矢印Ｃ方向）すると、ギア機構５はギア６へその回転を伝達する。そして、ギア６は正回転（矢印Ｄ方向）する。ギア６の正回転を受けて、ギア７は回転してロータ回転軸１ａを回転させる。これにより、発電機１は発電を行う。発電機１で発電された電力は蓄電部８に蓄電される。なお、ギア機構５として、例えば、ラチェット機構が想定されるが、これに限るものではなく、一方向の回転のみを伝達することができる機構であれば、その他の機構であってもよい。
【００４０】
一方、渦巻きバネ４の一端はドラム２の中心に固定され、渦巻きバネ４の他端はドラム２内部の所定の位置（例えば、ドラム２内部側面２ａ）に固定されている。紐部材１１を下方（矢印Ｂ方向）へ引っ張りドラム２を正回転させると、渦巻きバネ４は変形して復元力が働く。したがって、下方（矢印Ｂ方向）へ引っ張った紐部材１１を離すと、渦巻きバネ４の復元力により、ドラム２は負回転（矢印Ｃ方向とは逆方向）して紐部材１１を巻き取る。
【００４１】
なお、図２において説明したケース取り付け部２２と、回動部２３に相当するものを発電部１０に直接設ける構成であってもよい。この場合、ケース取り付け部２２と、回動部２３に相当するものを、例えば発電部１０のケーシング９の背面部分に直接設ける態様が一例として想定されるが、これに限るものではなく、その他の態様であってもよい。この場合、発電固定部２０のケース部２１は省略されることになる。
【００４２】
また、発電部１０の構成は上記のものに限るものではなく、その他の紐部材１１を引いて発電することができる機構の全てを本発明では含む。
【００４３】
図５は、本発明の実施の形態における発電装置１００の使用例を示す図である。図５（ａ）及び図５（ｂ）は、本発明の実施の形態における発電装置１００の使用例１を示す図である。図５（ａ）及び図５（ｂ）において発電固定部２０はベルト３１０に通され、発電部１０は人３００の腰付近に固定されている。また、図５（ａ）及び図５（ｂ）において紐部材固定部３０は、人３００の足首３２０付近に固定されている。
【００４４】
発電装置１００の使用例１では、図５（ａ）及び図５（ｂ）に示すように、人３００の歩行動作における足の動作を利用して発電装置１００に発電させている。すなわち、人３００の歩行動作において図５（ａ）の状態から図５（ｂ）の状態に移る際、足は曲げた状態から伸ばす動作を行う。この時、足は紐部材１１を引っ張ることになり、その際に発電部１０において発電される。発電された電力は、発電部１０内部の蓄電部に蓄電される。
【００４５】
次に、人３００の歩行動作において図５（ｂ）の状態から図５（ａ）の状態に移る際、足は伸ばした状態から曲げる動作を行う。この時、紐部材１１は弛み、紐部材１１は内部の発電部１０の内部機構による復元力により巻き取られ、引っ張った分だけ紐部材１１は発電部１０の内部に戻される。そして、人３００の歩行動作において図５（ａ）の状態から図５（ｂ）の状態、図５（ｂ）の状態から図５（ａ）の状態が順次繰り返される。すなわち、足を曲げたり、伸ばしたりする歩行動作が順次繰り返される。その際に、発電部１０において発電された電力は、発電部１０内部の蓄電部に蓄電され続ける。
【００４６】
なお、人３００の歩行動作における足の動作を利用して発電装置１００に発電させる場合、図５（ａ）及び図５（ｂ）に示すように、発電部１０における紐部材１１が足の方を向くように発電固定部２０を回動させることが想定される。
【００４７】
図５（ｃ）及び図５（ｄ）は、本発明の実施の形態における発電装置１００の使用例２を示す図である。図５（ｃ）及び図５（ｄ）において発電固定部２０はベルト４１０に通され、発電部１０は人４００の腰付近に固定されている。また、図５（ｃ）及び図５（ｄ）において紐部材固定部３０は、人４００の手首に固定されている。
【００４８】
発電装置１００の使用例２では、図５（ｃ）及び図５（ｄ）に示すように、人４００の歩行動作における腕の振り動作を利用して発電装置１００に発電させている。すなわち、人４００の歩行動作において図５（ｃ）の状態から図５（ｄ）の状態に移る際、腕は振られ、前方へ突き出される。この時、腕は紐部材１１を引っ張ることになり、その際に発電部１０において発電される。発電された電力は、発電部１０内部の蓄電部に蓄電される。
【００４９】
次に、人４００の歩行動作において図５（ｄ）の状態から図５（ｃ）の状態に移る際、前方へ突き出された腕は元の位置に戻ってくる。この時、紐部材１１は弛み、紐部材１１は内部の発電部１０の内部機構による復元力により巻き取られ、引っ張った分だけ紐部材１１は発電部１０の内部に戻される。そして、人４００の歩行動作において腕の前後への振り動作が順次繰り返される。その際に、発電部１０において発電された電力は、発電部１０内部の蓄電部に蓄電され続ける。
【００５０】
なお、人４００の歩行動作における腕の振り動作を利用して発電装置１００に発電させる場合、図５（ｃ）及び図５（ｄ）に示すように、発電部１０における紐部材１１が概ね水平方向を向くように発電固定部２０を回動させることが想定される。
【００５１】
図６は、本発明の実施の形態における発電装置１００の別の使用例を示す図である。図６（ａ）及び図６（ｂ）は、本発明の実施の形態における発電装置１００の使用例３を示す図である。図６（ａ）及び図６（ｂ）において発電固定部２０はベルト５１０に通され、発電部１０は人５００の腰付近に固定されている。また、図６（ａ）及び図６（ｂ）において紐部材固定部３０は、人５００の足首５２０付近に固定されている。
【００５２】
発電装置１００の使用例３では、図６（ａ）及び図６（ｂ）に示すように、人５００が自転車６００を運転する動作を利用して発電装置１００に発電させている。すなわち、人５００の自転車運転動作において図６（ａ）の状態から図５（ｂ）の状態に移る際、足は曲げた状態から伸ばす動作を行う。この時、足は紐部材１１を引っ張ることになり、その際に発電部１０において発電される。発電された電力は、発電部１０内部の蓄電部に蓄電される。
【００５３】
次に、人５００の自転車運転動作において図６（ｂ）の状態から図６（ａ）の状態に移る際、足は伸ばした状態から曲げる動作を行う。この時、紐部材１１は弛み、紐部材１１は内部の発電部１０の内部機構による復元力により巻き取られ、引っ張った分だけ紐部材１１は発電部１０の内部に戻される。そして、人５００の自転車運転動作において図６（ａ）の状態から図６（ｂ）の状態、図６（ｂ）の状態から図６（ａ）の状態が順次繰り返される。すなわち、足を曲げたり、伸ばしたりする自転車運転動作が順次繰り返される。その際に、発電部１０において発電された電力は、発電部１０内部の蓄電部に蓄電され続ける。
【００５４】
なお、上記において発電固定部２０を通じて発電部１０は人５００の腰付近に固定させたが、これに限るものではない。すなわち、発電部１０は、例えば、自転車６００のいずれかの位置（例えば、サドル６１０、ハンドル付近）に固定させてもよい。自転車６００のいずれかの位置とは、使用例３で説明した自転車運転動作において紐部材１１を引っ張る動作、及び紐部材１１を弛ませて、発電部１０の内部機構による復元力により巻き取らせて内部に戻す動作を交互に行うことができるような位置を言う。この意味で、非動作体とは、人の体に限るものではなく、その他のものであってもよい。
【００５５】
また、上記において紐部材固定部３０は、人５００の足首に固定させたが、これに限るものではない。すなわち、紐部材固定部３０は、例えば、自転車６００のいずれかの位置（例えば、ペダル６２０）に固定させてもよい。自転車６００のいずれかの位置とは、使用例３で説明した自転車運転動作において紐部材１１を引っ張る動作、及び紐部材１１を弛ませて、発電部１０の内部機構による復元力により巻き取らせて内部に戻す動作を交互に行うことができるような位置を言う。この意味で、動作体とは、人の体に限るものではなく、その他のものであってもよい。
【００５６】
このように、本発明の実施の形態によれば、日常生活の通常の動作を利用して発電を行うことができる。すなわち、日常生活の通常の動作の中で、紐部材１１付き発電部１０のおける発電部１０と紐部材１１とを適切な位置に固定すれば、無理なく容易に発電させることができる。特に、災害時などの緊急時には有用である。
【００５７】
なお、本発明の実施の形態において発電固定部及び紐部材固定部を固定する固定部分における非動作体とは、全く動かないものを指すのではない。動作体と非動作体とで上記説明した紐部材１１の引っ張り動作と巻取り動作とを実現できれば、非動作体は動作があってもよい。したがって、本発明において動作体及び非動作体は、動作体と非動作体とを相対的に見て動作していると見做してもよい方を動作体、相対的に見て動作していないと見做してもよい方を非動作体とする。その定義に沿って様々なものの動作において動作体、非動作体が決定される。
【００５８】
なお、本発明の実施の形態は本発明を具現化するための一例を示したものであり、これに限定されるものではなく本発明の要旨を逸脱しない範囲において種々の変形を施すことができる。
【符号の説明】
【００５９】
１  発電機
１ａ  ロータ回転軸
２  ドラム
２ａ  ドラム内部側面
４  渦巻きバネ
５  ギア機構
６、７  ギア
８  蓄電部
１０  発電部
１１  紐部材
１１ａ  取手
２０  発電固定部
２１  ケース部
２１ａ  ベロ部材
２１ｂ  ボタン部材
２１ｃ  部材
２１ｄ  穴
２１ｅ  背面
２２  ケース取り付け部
２２ａ  ループ部材
２３  回動部
２３ａ  支点
３０  紐部材固定部
３１  紐部材連結部
３１ａ  ベロ部材
３１ｂ、３２ａ  細長部材
３１ｃ  ボタン部材
３１ｄ  ボタン受け部材
３２  取り付け部
３２ｂ  固着部
３２ｃ  被固着部
１００  発電装置
【図１】
2015204694.tif 000003
【図２】
2015204694.tif 000004
【図３】
2015204694.tif 000005
【図４】
2015204694.tif 000006
【図５】
2015204694.tif 000007
【図６】
2015204694.tif 000008